(57)【要約】【課題】  空調材と建物内に案内される空気との間の熱交換の効率を悪化させることなく空調に必要な電気エネルギーを低減させることができる空調用ダクト、該ダクトの製造方法及びその使用方法を提供する。【解決手段】  不織布からなる筒状部材２２を蓄熱材又は調湿材が溶解された溶剤２５内に浸すことにより該溶剤を筒状部材２２に染み込ませ、該筒状部材に染み込ませた溶剤２５を乾燥させた後、筒状部材２２にその外周面２２ａを覆うように気密シート２３を巻き付けることにより、蓄熱機能又は調湿機能を有するダクト１４を形成する。【選択図】  図２
2007101089.tif 000002
【特許請求の範囲】
【請求項１】
空調のための空気が内部に流される筒状部材を備え、該筒状部材には、該筒状部材内を流れる前記空気の状態を調節するための空調材が含有されていることを特徴とする空調用ダクト。
【請求項２】
前記空調材は、前記筒状部材内を流れる前記空気と熱交換を行うための蓄熱材であることを特徴とする請求項１に記載の空調用ダクト。
【請求項３】
前記空調材は、前記筒状部材内を流れる前記空気からの水蒸気の吸収及び吸収した水蒸気の前記筒状部材内への放出を行うための調湿材であることを特徴とする請求項１に記載の空調用ダクト。
【請求項４】
前記筒状部材の外周面上には、前記筒状部材内の空気が該筒状部材の外方へ漏れることを防止するための気密部材が前記外周面を覆うように配置されていることを特徴とする請求項１乃至３のいずれか一項に記載の空調用ダクト。
【請求項５】
前記筒状部材は、筒状に形成された不織布からなり、該不織布には、前記空調材が溶融された溶剤が含浸されていることを特徴とする請求項１乃至４のいずれか一項に記載の空調用ダクト。
【請求項６】
前記筒状部材と前記気密部材との間には、断熱材が設けられていることを特徴とする請求項１乃至５のいずれか一項に記載の空調用ダクト。
【請求項７】
請求項５に記載の空調用ダクトの製造方法であって、筒状に形成した前記不織布を前記空調材が溶融された前記溶剤内に浸すことにより該溶剤を前記不織布に染み込ませ、該不織布に染み込ませた前記溶剤を乾燥させた後、前記不織布をその外周面上から前記気密部材で覆うことを特徴とする請求項５に記載の空調用ダクトの製造方法。
【請求項８】
請求項２に記載の空調用ダクトの使用方法であって、夜間は、温風又は冷風を前記筒状部材内に送り込むことにより、前記蓄熱材に前記温風の熱を吸収させ又は前記蓄熱材を前記冷風により冷却し、昼間は、前記温風の温度よりも低い温度の温風を前記筒状部材内に送り込むことにより、前記蓄熱材に蓄えられた熱によって前記温度の低い温風を暖め、又は、前記冷風の温度よりも高い温度の冷風を前記筒状部材内に送り込むことにより、冷却された前記蓄熱材によって前記温度の高い冷風を冷却することを特徴とする請求項２に記載の空調用ダクトの使用方法。    
【請求項９】
請求項３に記載の空調用ダクトの使用方法であって、夜間に、湿度が高い空気を前記筒状部材内に流すことにより該空気に含まれる水蒸気を前記調湿材に吸収させ、昼間は、湿度が低い空気を流すことにより該空気に前記調湿材から水蒸気を与えることを特徴とする請求項３に記載の空調用ダクトの使用方法。
【発明の詳細な説明】
【技術分野】
【０００１】
本発明は、例えば建物の空調に用いられる空調用ダクト、該ダクトの製造方法及びその使用方法に関する。
【背景技術】
【０００２】
従来、建物内の空調の省電力化を図るために、建物の外方から取り入れた空気を室内に案内するための給気ダクトと、該給気ダクトに近接して配置され室内の空気を建物の外方へ排出するための排気ダクトとの間に、排気ダクト内を流れる空気の熱を蓄えるための蓄熱材を配置することが提案されている（例えば、特許文献１参照。）。蓄熱材は、両ダクトの周壁間に挟持されており、排気ダクト内を流れる空気から熱を吸収し、吸収した熱を給気ダクト内に放出する。これにより、例えば建物内の暖房を行う場合、建物内から排出される空気の熱を利用して給気ダクト内を流れる空気を暖めることができるので、給気ダクト内の空気を温めるのに必要な電気エネルギー量を低減させることができる。
【特許文献１】特開平８−２９０８１号（第４−５頁、図２２）
【発明の開示】
【発明が解決しようとする課題】
【０００３】
しかしながら、従来のように建物内からの排気の熱を利用して給気ダクト内の空気を暖める場合、蓄熱材が給気ダクト及び排気ダクト間に配置されていることから、排気ダクト内の空気からの熱の吸収及び給気ダクト内への熱の放出がそれぞれ各ダクトの周壁を介して行われるため、蓄熱材と各ダクト内の空気との間の熱交換の効率が悪い。
【０００４】
排気ダクト内の空気からの熱の吸収効率を向上させるべく蓄熱材を排気ダクト内に配置すると、蓄熱材から給気ダクト内への熱の放出ができなくなり、また、蓄熱材から給気ダクト内への熱の放出効率を向上させるべく蓄熱材を給気ダクト内に配置すると、排気ダクト内の空気から蓄熱材への熱の吸収を行うことができなくなるため、蓄熱材に蓄えられた熱で給気ダクト内の空気を暖めることができない。
【０００５】
そこで、本発明の目的は、蓄熱材のように空気の状態を調節するための空調材と建物内に案内される空気との間の熱交換の効率を悪化させることなく空調に必要な電気エネルギーを低減させることができる空調用ダクト、該ダクトの製造方法及びその使用方法を提供することにある。
【課題を解決するための手段】
【０００６】
上記課題を解決するために、請求項１に記載の発明は、空調のための空気が内部に流される筒状部材を備え、該筒状部材には、該筒状部材内を流れる前記空気の状態を調節するための空調材が含有されていることを特徴とする。
【０００７】
請求項２に記載の発明は、請求項１に記載の発明において、前記空調材は、前記筒状部材内を流れる前記空気と熱交換を行うための蓄熱材であることを特徴とする。
【０００８】
請求項３に記載の発明は、請求項１に記載の発明において、前記空調材は、前記筒状部材内を流れる前記空気からの水蒸気の吸収及び吸収した水蒸気の前記筒状部材内への放出を行うための調湿材であることを特徴とする。
【０００９】
請求項４に記載の発明は、請求項１乃至３のいずれか一項に記載の発明において、前記筒状部材の外周面上には、前記筒状部材内の空気が該筒状部材の外方へ漏れることを防止するための気密部材が前記外周面を覆うように配置されていることを特徴とする。
【００１０】
請求項５に記載の発明は、請求項１乃至４のいずれか一項に記載の発明において、前記筒状部材は、筒状に形成された不織布からなり、該不織布には、前記空調材が溶融された溶剤が含浸されていることを特徴とする。
【００１１】
請求項６に記載の発明は、請求項１乃至５のいずれか一項に記載の発明において、前記筒状部材と前記気密部材との間には、断熱材が設けられていることを特徴とする。
【００１２】
請求項７に記載の発明は、請求項５に記載の空調用ダクトの製造方法であって、筒状に形成した前記不織布を前記空調材が溶融された前記溶剤内に浸すことにより該溶剤を前記不織布に染み込ませ、該不織布に染み込ませた前記溶剤を乾燥させた後、前記不織布をその外周面上から前記気密部材で覆うことを特徴とする。
【００１３】
請求項８に記載の発明は、請求項２に記載の空調用ダクトの使用方法であって、夜間は、温風又は冷風を前記筒状部材内に送り込むことにより、前記蓄熱材に前記温風の熱を吸収させ又は前記蓄熱材を前記冷風により冷却し、昼間は、前記温風の温度よりも低い温度の温風を前記筒状部材内に送り込むことにより、前記蓄熱材に蓄えられた熱によって前記温度の低い温風を暖め、又は、前記冷風の温度よりも高い温度の冷風を前記筒状部材内に送り込むことにより、冷却された前記蓄熱材によって前記温度の高い冷風を冷却することを特徴とする。    
【００１４】
請求項９に記載の発明は、請求項３に記載の空調用ダクトの使用方法であって、夜間に、湿度が高い空気を前記筒状部材内に流すことにより該空気に含まれる水蒸気を前記調湿材に吸収させ、昼間は、湿度が低い空気を流すことにより該空気に前記調湿材から水蒸気を与えることを特徴とする。
【発明の効果】
【００１５】
請求項１に記載の発明によれば、空調のための空気が内部に流される筒状部材に、該筒状部材内を流れる空気の状態を調節するための空調材が含有されていることから、本発明に係る空調用ダクトを例えば建物に設けられる給気ダクトに用いた場合に、空調材に例えば筒状部材の内部を流れる空気と熱交換するための蓄熱材を用いると、例えば昼間に比べて電気使用料が安価な夜間に温度の高い温風又は温度の低い冷風を筒状部材内に流すことによって蓄熱材に温風の熱を吸収させ又は蓄熱材を冷却しておくことにより、昼間は、建物内を暖める場合には夜間に流した温風よりも温度が低い温風を筒状部材内に流し、該温風を蓄熱材に蓄えられた熱により加熱することができ、また、建物内を冷やす場合には夜間に流した冷風よりも温度が高い冷風を筒状部材内に流し、該冷風を冷却された蓄熱材により冷却することができる。従って、昼間に比べて電気使用料が安価な深夜電力を有効に利用することにより、昼間に、筒状部材内に送り込まれる空気を所定の温度まで加熱又は冷却するために必要となる電気エネルギー量を確実に低減することができる。
【００１６】
また、例えば、筒状部材内を流れる空気からの水蒸気の吸収及び吸収した水蒸気の筒状部材内への放出を行うための調湿材を空調材に用いた場合、筒状部材内を流れる空気に含まれる水蒸気を調湿材に吸収することにより、外気に含まれる水蒸気の量が比較的多い夏場には、筒状部材により空気が案内される例えば建物内の体感温度を下げることができる。これにより、筒状部材内に送り込まれる空気を所定の温度まで冷却するために必要となる電気エネルギー量を確実に低減することができる。
【００１７】
また、外気に含まれる水蒸気の量が比較的少ない冬場には、例えば昼間よりも電気使用料が安価な夜間に湿度が比較的高い空気を筒状部材内に流し、該空気に含まれる水蒸気を調湿材に吸収させておくことにより、昼間は、湿度が比較的低い空気を流し、該空気に調湿材から水蒸気を与えることができる。これにより、昼間に筒状部材により空気が案内される例えば建物内の体感温度を上げることができる。従って、昼間に比べて電気使用料が安価な深夜電力を有効に利用することにより、筒状部材内に送り込まれる空気を所定の温度まで加熱するために必要となる電気エネルギー量を確実に低減することができる。
【００１８】
更に、空調材に調湿材を用いた場合、筒状部材内を流れる空気に水蒸気が過剰に含まれている場合には、筒状部材内の通過時に水蒸気の一部が調湿材に吸収され、また、空気が乾燥している場合には、筒状部材内の通過時に調湿材に吸収された水蒸気の一部が空気に与えられる。従って、筒状部材内の通過時に調湿された空気により、建物内の除湿及び加湿を容易に行うことができる。
【００１９】
また、空調材が、空調のための空気が内部に流される筒状部材に含有されていることから、空調材と筒状部材内の空気との熱交換を従来のようなダクトの周壁を介すことなく直接行うことができる。これにより、空調材と筒状部材内を流れる空気との間の熱交換の効率を従来に比べて確実に向上させることができる。
【００２０】
請求項２に記載の発明によれば、空調材が、筒状部材内を流れる空気と熱交換を行うための蓄熱材であることから、本発明に係る空調用ダクトを例えば建物に設けられる給気ダクトに用いた場合に、例えば昼間に比べて電気使用料が安価な夜間に温度の高い温風又は温度の低い冷風を筒状部材内に流すことによって蓄熱材に温風の熱を吸収させ又は蓄熱材を冷却しておくことにより、昼間は、建物内を暖める場合には夜間に流した温風よりも温度が低い温風を筒状部材内に流し、該温風を蓄熱材に蓄えられた熱により加熱することができ、また、建物内を冷やす場合には夜間に流した冷風よりも温度が高い冷風を筒状部材内に流し、該冷風を冷却された蓄熱材により冷却することができる。従って、昼間に比べて電気使用料が安価な深夜電力を有効に利用することにより、昼間に、筒状部材内に送り込まれる空気を所定の温度まで加熱又は冷却するために必要となる電気エネルギー量を確実に低減することができる。
【００２１】
請求項３に記載の発明によれば、空調材が、筒状部材内を流れる空気からの水蒸気の吸収及び吸収した水蒸気の筒状部材内への放出を行うための調湿材であることから、筒状部材内を流れる空気に含まれる水蒸気を調湿材に吸収することにより、夏場には、筒状部材により空気が案内される例えば建物内の体感温度を下げることができる。これにより、筒状部材内に送り込まれる空気を所定の温度まで冷却するために必要となる電気エネルギー量を確実に低減することができる。
【００２２】
また、冬場には、例えば昼間よりも電気使用料が安価な夜間に湿度が比較的高い空気を筒状部材内に流し、該空気に含まれる水蒸気を調湿材に吸収させておくことにより、昼間は、湿度が比較的低い空気を流し、該空気に調湿材から水蒸気を与えることができる。これにより、昼間に筒状部材により空気が案内される例えば建物内の体感温度を上げることができる。従って、昼間に比べて電気使用料が安価な深夜電力を有効に利用することにより、筒状部材内に送り込まれる空気を所定の温度まで加熱するために必要となる電気エネルギー量を確実に低減することができる。
【００２３】
更に、空調材に調湿材を用いた場合、筒状部材内を流れる空気に水蒸気が過剰に含まれている場合には、筒状部材内の通過時に水蒸気の一部が調湿材に吸収され、また、空気が乾燥している場合には、筒状部材内の通過時に調湿材に吸収された水蒸気の一部が空気に与えられる。従って、筒状部材内に通過時に調湿された空気により、建物内の除湿及び加湿を容易に行うことができる。
【００２４】
請求項４に記載の発明によれば、筒状部材の外周面上に、筒状部材内の空気が該筒状部材の外方へ漏れることを防止するための気密部材が筒状部材の外周面を覆うように配置されていることから、気密部材の気密効果により、筒状部材内から空気が漏れることによる空調機能の低下を防止することができる。
【００２５】
請求項５に記載の発明によれば、筒状部材が、筒状に形成された不織布からなり、該不織布には、空調材が含まれた溶剤が含浸されていることから、空調材が含まれた溶剤を不織布に含浸させることにより、空調のための空気の状態を調節する空調機能を有する空調用ダクトを容易に形成することができる。
【００２６】
請求項６に記載の発明によれば、筒状部材と気密部材との間に断熱材が設けられていることから、空調材が断熱材の断熱作用により保温されるので、筒状部材内を流れる空気と空調剤との熱交換をより長い時間行うことができる。
【００２７】
請求項７に記載の発明によれば、筒状に形成した不織布を空調材が含まれた溶剤内に浸すことにより該溶剤を不織布に染み込ませ、不織布に染み込ませた溶剤を乾燥させた後、不織布その外周面上から気密部材で覆うことにより、空調のための空気の状態を調節する空調機能を有する空調用ダクトを容易に製造することができる。
【００２８】
請求項８に記載の発明によれば、夜間は、温風又は冷風を筒状部材内に送り込むことにより、蓄熱材に温風の熱を吸収させ又は蓄熱材を冷風により冷却し、昼間は、前記温風の温度よりも低い温度の温風を筒状部材内に送り込むことにより、蓄熱材に蓄えられた熱によって前記温度の低い温風を暖め、又は、前記冷風の温度よりも高い温度の冷風を筒状部材内に送り込むことにより、冷却された蓄熱材によって前記温度の高い冷風を冷却する。
【００２９】
これにより、例えば昼間に比べて安価な深夜電力を有効に利用することにより、昼間に、給気ダクト内を流れる空気が所定の温度になるまで該空気を加熱又は冷却するために必要となる電気エネルギー量を確実に低減することができる。
【００３０】
請求項９に記載の発明によれば、夜間に、湿度が高い空気を筒状部材内に流すことにより該空気に含まれる水蒸気を調湿材に吸収させ、昼間は、湿度が低い空気を流すことにより該空気に調湿材から水蒸気を与える。これにより、昼間に筒状部材により空気が案内される例えば建物内の体感温度を上げることができるので、昼間に比べて電気使用料が安価な深夜電力を有効に利用することにより、筒状部材内に送り込まれる空気を所定の温度まで加熱するために必要となる電気エネルギー量を確実に低減することができる。
【発明を実施するための最良の形態】
【００３１】
本発明を図示の実施例に沿って説明する。
【実施例】
【００３２】
［実施例１］
図１は、本発明に係る空調用ダクトを、二階建ての建物１０内に設けられ空調装置１１により加熱又は冷却された空気を建物１０の各階に設けられた部屋１２，１３内に案内するための給気ダクト１４に用いた例を示す。
【００３３】
空調装置１１は、従来よく知られているように、外気を取り込み、設定された温度に応じて外気を加熱又は冷却し、加熱又は冷却した外気を建物１０内に供給するための装置であり、図示の例では、建物１０の床下空間１５内に配置されている。空調装置１１は、加熱又は冷却した空気を該空調装置に接続された送風機１６に送る。送風機１６には、給気ダクト１４の一端１４ａが接続されている。
【００３４】
給気ダクト１４は、送風機１６から床下空間１５内を上方へ伸び、更に、建物１０の一階及び二階の床１２ａ，１３ａを貫通して二階の天井１３ｂに向けて例えば図示しない壁内を伸びる。給気ダクト１４には、該給気ダクトから分岐する一対の分岐管１７，１８が接続されている。一対の分岐管１７，１８のうち一方の分岐管１７は一階の部屋１２の天井１２ｂ内を伸び、他方の分岐管１８は二階の部屋１３の天井１３ｂ内を伸びる。各分岐管１７，１８の先端１７ａ，１８ａは、それぞれ各階の部屋１２，１３の天井１２ｂ，１３ｂに形成された供給口１９で各部屋１２，１３内に開放している。
【００３５】
設定された温度に応じて空調装置１１の作動により加熱又は冷却された空気は、送風機１６の送風機能により給気ダクト１４内に送られ、該給気ダクト内を通り、各分岐管１７，１８内を経て該各分岐管の先端１７ａ，１８ａから各階の部屋１２，１３内に供給される。
【００３６】
また、空調装置１１には、各階の部屋１２，１３内の空気を建物１０の外方へ排出するための排気ダクト２０が設けられている。排気ダクト２０は、空調装置１１から床下空間１５内を給気ダクト１４へ向けて伸び、更に、給気ダクト１４に沿って建物１０の一階及び二階の床１２ａ，１３ａを貫通して二階の天井１３ｂに向けて前記壁内を伸びる。排気ダクト２０には、各階の部屋１２，１３の床１２ａ，１３ａ近傍で各部屋１２，１３に開放し、該各部屋内の空気を吸気するための吸気口２１が形成されている。給気ダクト１４を経て各部屋１２，１３内に供給された空気は、各部屋１２，１３内を暖め又は冷却した後、空調装置１１の作動により、排気ダクト２０の各吸気口２１から排気ダクト２０内に吸引され、該排気ダクト内を経て建物１０の外方へ排出される。
【００３７】
本発明に係る給気ダクト１４は、図２に示すように、空調装置１１から空気が内部に送り込まれる筒状部材２２と、該筒状部材の外周面２２ａを覆うように配置された気密部材とを備える。
【００３８】
筒状部材２２は、図示の例では、円筒状に形成された不織布からなる。筒状部材２２には、該筒状部材内を流れる空気の状態を調節するための図示しない空調材が含有されている。前記空調材は、図示の例では、筒状部材２２内を流れる空気から熱を吸収するための蓄熱材で構成されている。
【００３９】
前記蓄熱材は、図示の例では、例えば硝酸ナトリウムや水和塩等からなる複数の粒状の図示しない蓄熱粒子で構成されている。前記蓄熱粒子は、それぞれ筒状部材２２本体の内部に分散しており、図示の例では、所定の相変化温度を有する。相変化温度は、本実施例では、前記各蓄熱粒子が固相と液相との間で相転移するときの温度すなわち融点又は凝固点をいう。また、前記各蓄熱粒子は、液相に変化した該各蓄熱粒子が筒状部材２２から滲み出すことを防止するために、図示しないマイクロカプセル内に封入されている。前記マイクロカプセルは、それぞれ例えばポリ（メタ）アクリレート及びポリスチレン誘導体等の熱可塑性樹脂からなる。
【００４０】
筒状部材２２と気密シート２３との間には、図示の例では、前記各蓄熱粒子に蓄えられた熱が筒状部材２２の外方へ放出することを防止するための断熱材２４が設けられている。断熱材２４は、筒状部材２２の挿入を許す筒状をなしており、例えばグラスウール及び発砲ウレタン等からなる。
【００４１】
気密部材は、図示の例では、通気性を有さないアルミからなる気密シート２３で構成されている。気密シート２３は、筒状部材２２が挿入された断熱材２４にその外周面２４ａ上から巻き付けられており、これにより、筒状部材２２内を流れる空気が該筒状部材及び断熱材２４を透過して給気ダクト１４の外方へ漏れることが防止される。
【００４２】
本発明に係る給気ダクト１４を製造する際、図３に示すように、先ず、前記不織布を円筒状に形成し、前記各蓄熱粒子及び前記珪藻土が溶解された溶剤２５内に浸すことにより、該溶剤を不織布に染み込ませる。次に、不織布に染み込ませた溶剤２５を乾燥させた後、不織布の外周面すなわち筒状部材２２の外周面２２ａに断熱材２４を被せる。その後、断熱材２４にその外周面２４ａ上から気密シート２３を巻き付けることにより、断熱材２４の外周面２４ａを気密シート２３で被覆する。これにより、蓄熱機能を有する給気ダクト１４が形成される。
【００４３】
このような給気ダクト１４を用いて建物１０内の暖房を行う際、昼間に比べて電気代が比較的安価な夜間（例えば、東京電力株式会社が提案する電化上手（登録商標）の電気料金プランでは、２３：００〜７：００の間である。）に、前記各蓄熱粒子の相変化温度以上の比較的高温の暖気を空調装置１１から給気ダクト１４内に送り込む。このとき、例えば建物１０の各階の天井１２ｂ，１３ｂに形成された各供給口１９を閉じることにより、空調装置１１から送られてくる空気を各供給口１９から各部屋１２，１３内に放出することなく給気ダクト１４及び各分岐管１７，１８内で循環させることができる。高温の空気を給気ダクト１４内に送り込むことにより、筒状部材２２内に含浸された前記各蓄熱粒子が加熱されて固相から液相に変化する。前記各蓄熱粒子は、前記したように、それぞれ前記マイクロカプセルに封入されていることから、液化した前記各蓄熱粒子が筒状部材２２から滲み出すことはない。この前記各蓄熱粒子の融解により、筒状部材２２内を流れる空気の熱が前記各蓄熱粒子に吸収される。
【００４４】
電気代が夜間に比べて高い昼間は、前記各蓄熱粒子の相変化温度以下の比較的低温の暖気を空調装置１１から給気ダクト１４に送り込む。このとき、空調装置１１により取り入れられた外気を加熱することなくそのまま給気ダクト１４に送り込むことができる。
【００４５】
これにより、前記各蓄熱粒子が液相から固相に変化する。この前記各蓄熱粒子の凝固により、該各蓄熱粒子に蓄えられていた熱が筒状部材２２内に放出されるので、該筒状部材内を流れる空気がこの熱により暖められる。
【００４６】
建物１０内の冷房を行う場合には、夜間に前記各蓄熱粒子の相変化温度以下の冷気又は冷却されていない外気を空調装置１１から給気ダクト１４に送り込む。これにより、前記各蓄熱粒子が凝固することによって該各蓄熱粒子から筒状部材２２内に熱が放出されるので、前記各蓄熱粒子がそれぞれ冷却される。昼間は、前記各蓄熱粒子の相変化温度以上の温度の冷気を空調装置１１から給気ダクト１４内に送り込むことにより、筒状部材２２内を流れる空気が冷却された前記各蓄熱粒子により冷却される。
【００４７】
このように、昼間に比べて電気代が安価な夜間に温度の高い温風又は温度の低い冷風を筒状部材２２内に流すことによって前記各蓄熱粒子に温風の熱を吸収させ又は前記各蓄熱粒子を冷却しておくことにより、昼間は、建物１０内を暖める場合には夜間に流した温風よりも温度が低い温風を筒状部材２２内に流し、該温風を蓄熱材に蓄えられた熱により加熱することができ、また、建物１０内を冷やす場合には夜間に流した冷風よりも温度が高い冷風を筒状部材２２内に流し、該冷風を冷却された蓄熱材により冷却することができる。
【００４８】
従って、昼間に比べて安価な深夜電力を有効に利用することにより、昼間に、給気ダクト１４内を流れる空気の温度が所定の温度になるまで空気を加熱又は冷却するために必要となる電気エネルギー量を確実に低減することができる。
【００４９】
また、前記したように、前記蓄熱材が、内部に建物１０の空調のための空気が流れる筒状部材２２に含有されていることから、前記蓄熱材が吸収した熱を筒状部材２２内の空気に従来のようなダクトの周壁を介すことなく直接与えることができる。これにより、排気ダクト２０内の空気の熱を利用して給気ダクト１４内の空気を加熱する従来の場合のように蓄熱材と筒状部材２２内を流れる空気との間の熱交換の効率が悪化することを、確実に防止することができる。
【００５０】
更に、前記したように、筒状部材２２と気密シート２３との間に、蓄熱材に吸収された熱が筒状部材２２の外方へ放出することを防止するための断熱材２４が設けられている。
【００５１】
従来のように蓄熱材が給気ダクト１４及び排気ダクト２０間に配置されている場合、蓄熱材に蓄えられた熱が両ダクトの外方へ放出してしまう虞がある。このため、給気ダクト１４内を流れる空気に蓄熱材の熱を長時間与えることができない。
【００５２】
これに対し、本実施例によれば、前記したように、筒状部材２２と気密シート２３との間に断熱材２４が設けられていることから、熱が蓄えられた蓄熱材が断熱材２４の断熱作用により保温されるので、筒状部材２２内を流れる空気に蓄熱材の熱をより長い時間与えることができる。
【００５３】
［実施例２］
実施例１では、筒状部材２２内を流れる空気の状態を調節するための空調材に前記蓄熱材が用いられた例を示したが、これに代えて、図示しないが、筒状部材２２内を流れる空気から水蒸気を吸収するための調湿材を前記空調材に用いることができる。前記調湿材は、例えば従来よく知られた珪藻土で構成することができ、給気ダクト１４内を流れる空気に含まれる水蒸気を吸収することができる材料であれば、珪藻土以外の材料で前記調湿材を構成することができる。
【００５４】
このような給気ダクト１４を製造する際、前記した溶剤２５に前記蓄熱材に代えて前記調湿材を溶解させ、この溶剤２５を円筒状に形成した前記不織布に染み込ませる。その後、断熱材２４及び気密シート２３をそれぞれ円筒状の前記不織布すなわち筒状部材２２に前記したように装着することにより、調湿機能を有する給気ダクト１４が形成される。
【００５５】
前記調湿材は、筒状部材２２内を流れる空気に水蒸気が過剰に含まれている場合には、空気の筒状部材２２内の通過時に空気に含まれる水蒸気の一部を吸収し、また、空気が乾燥している場合には、空気の筒状部材２２内の通過時に調湿材に吸収された水蒸気の一部を空気に与える。
【００５６】
従って、外気に含まれる水蒸気の量が比較的多い夏場は、空調装置１１により取り入れられて筒状部材２２内に送り込まれた外気に含まれる水蒸気が調湿材に吸収されるので、筒状部材２２により空気が案内された建物１０内の体感温度を下げることができる。これにより、筒状部材２２内に送り込まれる空気を所定の温度まで冷却するために必要となる電気エネルギー量を確実に低減することができる。
【００５７】
また、外気に含まれる水蒸気の量が比較的少ない冬場は、例えば昼間よりも電気使用料が安価な夜間に、空調装置１１の湿度調節機能により湿度を高くした空気を筒状部材２２内に送り込み、該空気に含まれる水蒸気を前記調湿材に吸収させておくことにより、昼間は、湿度が比較的低い空気を流し、該空気に前記調湿材から水蒸気を与えることができる。これにより、昼間に筒状部材２２により空気が案内された建物１０内の体感温度を上げることができる。従って、昼間に比べて電気使用料が安価な深夜電力を有効に利用することにより、筒状部材２２内に送り込まれる空気を所定の温度まで加熱するために必要となる電気エネルギー量を確実に低減することができる。
【００５８】
［実施例３］
実施例２では、前記蓄熱材に代えて前記調湿材が筒状部材２２に含有された例を示したが、前記蓄熱材に加えて前記調湿材を筒状部材２２に含有させることができる。この場合、前記溶剤２５に前記蓄熱材及び前記調湿材をそれぞれ溶解させ、この溶剤２５を前記不織布に染み込ませることにより、蓄熱機能及び調湿機能を有する給気ダクト１４を形成することができる。
【００５９】
上記した実施例１乃至３では、筒状部材２２が不織布からなる例を示したが、これに代えて、前記蓄熱材又は前記調湿材が溶解された溶剤２５を含浸させることができる材料であれば、例えば合成樹脂からなるシートや織布等の不織布以外の材料により筒状部材２２を形成することができる。
【００６０】
更に、実施例１乃至３では、筒状部材２２が円筒状をなした例を示したが、これに代えて、例えば横断面が矩形状をなした筒状部材を本発明に適用することができる。
【００６１】
また、実施例１乃至３では、筒状部材２２内の空気が該筒状部材の外方へ漏れることを防止するための気密部材が気密シート２３で構成された例を示したが、これに代えて、例えば管状部材で気密部材を構成することができる。
【００６２】
更に、実施例１乃至３では、建物１０内に設けられた給気ダクト１４に本発明を適用した例を示したが、これに代えて、建物１０以外の空調のためのダクトに本発明を適用することができる。
【図面の簡単な説明】
【００６３】
【図１】本発明に係る空調用ダクトが設けられた建物を概略的に示す縦断面図である。
【図２】本発明に係る空調用ダクトを概略的に示す横断面図である。
【図３】本発明に係る空調用ダクトの製造工程を概略的に示す説明図である。
【符号の説明】
【００６４】
１４  ダクト（給気ダクト）
２２  筒状部材
２２ａ  外周面
２３  気密部材（気密シート）
２４  断熱材
【図１】
2007101089.tif 000003
【図２】
2007101089.tif 000004
【図３】
2007101089.tif 000005